(57)【特許請求の範囲】
【請求項１】
メータ（８）及びセンサ（９）のデータを集中監視センタ（２）へ加入者電話回線（１０）を介して自動的に伝送すると共に、前記集中監視センタ（２）より前記加入者電話回線（１０）を介してデータ伝送できる、ユーザの電話機（７）に接続した相互起動型の自動通報装置（１）を有する自動通報システムにおいて、前記自動通報装置（１）は前記集中監視センタ（２）より前記加入者電話回線（１０）を介して自動通報装置（１）を呼び出すベル信号を検出するベル検出回路（１１）と、電話機（７）のオフフックを検出する回線電流検出回路（１３）と、前記電話機（７）を加入者電話回線（１０）から切り放すリレースイッチ（２４）と、集中監視センタ（２）より送信される識別信号と通信開始信号を検出するＰＢ信号検出回路（１６）と、加入者電話回線（１０）を直流抵抗で閉結する直流閉結回路（２０）と、データ伝送を行う信号変復調回路（２３）と、各回路を制御する記憶演算装置（２７）とを備え、前記ベル信号を検出したら記憶演算装置（２７）は前記ベル信号の検出回数のカウントを開始し、回線電流検出回路（１３）により電話機（７）のオフフック信号を検出したら、前記ベル信号の検出回数が予め設定された設定値と一致するかどうかを判定し、一致したら直流閉結回路（２０）をオンすると同時にリレースイッチ（２４）により電話機（７）を加入者電話回線（１０）から切り放し、その後、ＰＢ信号検出回路（１６）により識別信号を受信した後、通信開始信号を受信したら、信号変復調回路（２３）によりデータ伝送を行い、また、ベル信号の検出回数が設定値と一致しなかった場合は、その後、ＰＢ信号検出回路（１６）により識別信号を受信した後、通信開始信号を受信したら、信号変復調回路（２３）によりデータ伝送を行うように制御することを特徴とする自動通報システム。
【発明の詳細な説明】
【０００１】
【産業上の利用分野】
本発明は、メータ値、センサ情報などの自動通報装置側の情報信号を電話回線網を介して自動的に集中監視センタ側へ伝送すると共に、集中監視センタ側より自動通報装置を呼び出してデータローディング等を行う事が出来る相互起動型の自動通報装置を有する自動通報システムに関するものである。
【０００２】
【従来の技術】
従来、一般加入者電話回線を利用する自動通報装置を有する自動通報システムに於いて、集中監視センタより自動通報装置を呼び出す場合には、ノーリンギングトランクを利用して宅内の電話機のベルを鳴動させずに目的の自動通報装置を呼び出してデータ通信を行う方式と、ノーリンギングトランクを利用せずに通常のダイヤルをして電話機のベルを鳴動させて自動通報装置を呼び出す方式（以下リンギング方式と言う）があった。
【０００３】
ノーリンギング方式は、電話局の交換機に特殊機能を持つノーリンギングトランク（以下ＮＲＴと言う）を追加して実現される特殊サービスであり、１６Ｈｚベル信号を使用せず、緩極性反転と、半ループ状態でノーリンギング呼び出し信号（ＰＢ信号１桁）により目的の自動通報装置を指定してデータ通信を行うもので、これを利用した自動通報装置の公知例としては特開平２−７０１６５号公報（網制御装置の端末装置）がある。
【０００４】
この他、ＮＲＴを利用せずに目的の自動通報装置を呼び出すリンギング方式の例としては、１６Ｈｚベル信号に対して自動応答した後一定時間内にデータ通信である事を示す識別信号や、キャリア信号を検出した場合には着呼のあった回線にデータ通信端末を接続するものがあり、かかるものの公知例としては特公昭５３−２２８２号公報（電話回線に於ける通信方式）があり、これに対して目的の信号が検出できなかった場合には、音声通信端末（電話機）に対して１６Ｈｚベル信号を送出すると同時に発呼側に対してはリングバックトーンや電話機を呼び出し中である事を示す旨のメッセージを送出する事により、宅内電話機とデータ通信端末の選別を行う方式が実施されているものがあり、かかるものの公知例としては、特開平２−７７６３号公報（画像通信装置）などがある。
【０００５】
【発明が解決しようとする課題】
ノーリンギング方式は全ての電話回線に対して利用できるとは限らず、ＮＲＴが設置されていない回線や、ＰＢＸの内線側に自動通報装置が設置されている場合にはこの自動通報装置を呼び出す事が出来ず、自動通報装置の設置運用に制限が発生する。この他、目的の自動通報装置が収容されているＮＲＴが連続検針などにより他の通信に利用されて話中状態の時にも自動通報装置を呼び出す事が出来ない。
【０００６】
特に、センタから自動通報装置へ緊急の操作を行いたい場合、この話中状態は不都合である。
【０００７】
そこで、通常のダイヤルによる呼び出し方式で電話機のベルを鳴動させてユーザが応答したのち、ユーザに対してこれから自動通報装置とセンタ間でデータ通信を行うことをセンタから説明して了解を得た後、識別信号を送出し自動通報装置に回線を接続する方式では、ユーザが留守番電話装置を設置していると、センタからの呼び出しで留守番電話装置が応答すると自動的に応答用の案内音声を発信者に応答するが、このとき自動通報装置はセンタからの呼び出し識別信号を受信していると、センタから送出する識別信号と留守番電話装置が送出する案内音声が同時に受信されるため自動通報装置が識別信号を受信できない場合があった。
【０００８】
【課題を解決するための手段】
本発明は、前記課題を解決するために、メータ及びセンサのデータを集中監視センタへ加入者電話回線を介して自動的に伝送すると共に、前記集中監視センタより前記加入者電話回線を介してデータ伝送できる、ユーザの電話機に接続した相互起動型の自動通報装置を有する自動通報システムにおいて、前記自動通報装置は前記集中監視センタより前記加入者電話回線を介して自動通報装置を呼び出すベル信号を検出するベル検出回路と、電話機のオフフックを検出する回線電流検出回路と、前記電話機を加入者電話回線から切り放すリレースイッチと、集中監視センタより送信される識別信号と通信開始信号を検出するＰＢ信号検出回路と、加入者電話回線を直流抵抗で閉結する直流閉結回路と、データ伝送を行う信号変復調回路と、各回路を制御する記憶演算装置とを備え、前記ベル信号を検出したら記憶演算装置は前記ベル信号の検出回数のカウントを開始し、回線電流検出回路により電話機のオフフック信号を検出したら、前記ベル信号の検出回数が予め設定された設定値と一致するかどうかを判定し、一致したら直流閉結回路をオンすると同時にリレースイッチにより電話機を加入者電話回線から切り放し、その後、ＰＢ信号検出回路により識別信号を受信した後、通信開始信号を受信したら、信号変復調回路によりデータ伝送を行い、また、ベル信号の検出回数が設定値と一致しなかった場合は、その後、ＰＢ信号検出回路により識別信号を受信した後、通信開始信号を受信したら、信号変復調回路によりデータ伝送を行うように制御するものとした。
【０００９】
【作用】
本発明は上記構成により、ベル信号があって自動通報装置が電話機のオフフックを検出したら、ベル信号の検出回数が設定値と一致しているかを判断して一致していたら電話機を加入者電話回線から一時的に切り放し、自動通報装置は集中監視センタからの識別信号の受信待ちになる。
【００１０】
一定時間の間に識別信号を受信できない場合は直ちに電話機を加入者電話回線に接続し自動通報装置は待機状態になる。識別信号を受信すると、集中監視センタとユーザとの電話の会話による連絡を行った後、通信開始信号を受信したら、電話機を加入者電話回線から切り放しデータ通信の妨げとならない様にしてから、集中監視センタとデータ通信を行う。
【００１１】
【実施例】
以下、本発明の一実施例を示す図を参照しながら説明する。
【００１２】
図１は本発明の自動通報システムの一実施例を示すシステム図、図２は同自動通報システムの構成を示すブロック図、図３及び図４は同フローチャートを示す図である。
【００１３】
図１において、１は自動通報装置であり、端末側の種々の情報信号を管理する集中監視センタ２と電話回線網３及び加入者電話回線１０を経由して接続されている。
【００１４】
センタ側交換機４は集中監視センタ２を収容している。自動通報装置側交換機５は自動通報装置１を収容しており、ノーリンギングトランク（ＮＲＴ）６が付加されていて、集中監視センタ２からＮＲＴ６へのダイヤルによりノーリンギング方式に準じた手順で自動通報装置１へ着呼する。
【００１５】
７は電話機で、自動通報装置１を経由して加入者電話回線１０に接続されている。
【００１６】
８はメータで、水道、電力などの使用量を検針するものであり、前述自動通報装置１に接続されてそれぞれの使用量に応じたパルス信号を出力したり、もしくは前述自動通報装置１との間でデータ通信を行う機能を有している。
【００１７】
９はセンサで、例えばガスや、液面レベル、押しボタンなど、ある事象の状態変化を検出するものであり、前述自動通報装置１に接続されてそれぞれの状態変化に応じた信号を出力する機能を有している。
【００１８】
図２において、２７は記憶演算装置で、前述自動通報装置１の動作制御を、予め設定され記憶された手順に従って行うものである。
【００１９】
１１は１６Ｈｚのベル信号を検出するベル検出回路で、前述加入者電話回線１０と前述記憶演算装置２７間に接続されており、着呼がある時前述電話回線網３より送出されてくる１６Ｈｚのベル信号を検出して前記記憶演算装置２７に伝達する機能を有している。
【００２０】
１２は緩極性反転検出回路で、前記加入者電話回線１０に挿入されるとともに、前記記憶演算装置２７に接続されており、前記ＮＲＴ６が動作して前記加入者電話回線１０に緩極性反転が発生した事を検出して前記記憶演算装置２７へ伝達する機能を有している。
【００２１】
１３は回線電流検出回路で、前記加入者電話回線１０に挿入されるとともに、前記記憶演算装置２７に接続されており、前述電話機７が前述電話回線網３より送出されてくる１６Ｈｚベル信号に応答して回線を閉結したときに、前記加入者電話回線１０に流れる回線電流を検出して前記記憶演算装置２７に伝達する機能を有している。
【００２２】
１４及び１５はそれぞれコンデンサ及びトランスで、前述加入者電話回線１０間にトランス１５の１次巻線が接続されており，この１次巻線の一方に前述コンデンサ１４が接続されている。
【００２３】
コンデンサ１４は直流の絶縁を行い、トランス１５は高い交流インピーダンスを持たせる事により、前述加入者電話回線１０の通話状態に影響を与える事なく、後述のＰＢ信号検出回路１６に信号を伝達するインターフェース回路である。
【００２４】
１６はＰＢ信号検出回路で、一端が前述トランス１５の２次巻線に接続されるとともに、他端が前述記憶演算装置２７にそれぞれ接続されており、前述の加入者電話回線１０に送信されてくるＰＢ信号を検出判別して前述記憶演算装置２７へ伝達する回路であり、例えばＰＢ信号レシーバＬＳＩを用いた回路等が用いられている。
【００２５】
１７は整流回路で、前述の加入者電話回線１０の極性が反転しても後述する半ループ回路１８や、直流閉結回路２０に一定の極性を供給するための機能を有している。
【００２６】
１８は半ループ回路で、前述整流回路１７を介して前述加入者電話回線１０に接続されている一方、前述記憶演算装置２７及び後述のＡＣ６００Ωスイッチ１９にも接続されている。
【００２７】
半ループ回路１８は、ノーリンギング方式に準じた手順で応答するための回路で、前述記憶演算装置２７の制御により、５ｍＡ以上２０ｍＡ以下の回線電流を流したときに４ＫΩ以上の直流抵抗値で前述加入者電話回線１０を半閉結状態にする機能を有する。
【００２８】
２１は６００Ωトランスで、１次巻線の一端は後述するＡＣ６００Ωスイッチ１９と直流閉結回路２０のそれぞれに接続されていて、もう一端は前述整流回路１７を介して前述加入者電話回線１０に接続されている。２次巻線は後述するＰＢ信号送出回路２２及び信号変復調回路２３にそれぞれ接続されている。
【００２９】
６００Ωトランス２１の１次巻線は５０Ω〜１００Ω程度の直流抵抗と３００Ｈｚ〜４ＫＨｚの周波数帯域で交流インピーダンス６００Ωを持ち１次：２次の巻数比は１：１のトランスで、前述の加入者電話回線１０と６００Ω平衡状態で後述のＰＢ信号送出回路２２及び信号変復調回路２３の信号を伝達すると共に、加入者電話回線１０と本トランスの２次側に接続される回路とを直流的に絶縁する機能を有する。
【００３０】
１９はＡＣ６００Ωスイッチで、前述半ループ回路１８と前述の６００Ωトランス２１の１次巻線の一端に接続されているスイッチで、更に前述記憶演算装置２７に接続されている。
【００３１】
ＡＣ６００Ωスイッチ１９は前述半ループ回路１８が回線を直流的に半閉結状態にしている時に交流的に前述の６００Ωトランス２１を接続するスイッチで前述記憶演算装置２７により制御されている。
【００３２】
２０は直流閉結回路で、一端を前述整流回路１７を介して前述加入者電話回線１０に接続される一方、他端は前述６００Ωトランス２１の１次巻線の一端に接続されるとともに、前述記憶演算装置２７にも接続されている。
【００３３】
直流閉結回路２０は前述記憶演算装置２７の制御によりオン／オフするスイッチで、オンすれば前述加入者電話回線１０を前述整流回路１７を介して前述６００Ωトランス２１の直流抵抗５０Ω〜１００Ωで閉結すると共に、交流インピーダンス６００Ωの平衡状態を作り加入者電話回線１０を通話状態にする事が出来、またオフすれば回線を開放状態にする事が出来る。
【００３４】
また、前述記憶演算装置２７の制御により適当なタイミングでオン／オフする事によりダイヤルパルス信号を送出する機能を兼ね備えている。
【００３５】
２２はＰＢ信号送出回路で、前述６００Ωトランス２１の２次巻線と前述記憶演算装置２７の間に接続されており、前述記憶演算装置２７の制御により前述６００Ωトランス２１を介してＰＢ信号の出力を行う回路で、ＰＢダイヤル信号の送信やノーリンギング方式に準じた着信手順でＡＮＳ信号「＃」のＰＢ信号送出を行うほか、ＰＢ信号を利用したデータ送出を行う機能を有している。
【００３６】
２３は信号変復調回路で、前述６００Ωトランス２１の２次巻線と前述記憶演算装置２７の間に接続されているものであり、前述記憶演算装置２７の制御により、前述６００Ωトランス２１、整流回路１７、加入者電話回線１０、電話回線網３を介して集中監視センタ２とデータ通信を行う回路であり、例えばＦＳＫ信号方式の全二重モデムＬＳＩを用いた回路等が用いられている。
【００３７】
２４はリレースイッチで、自動通報装置１が通信中の時に前述電話機７を前記加入者電話回線１０側から自動通報装置１側の後述するオッフック検出回路２６側へに切り換えるものである。
【００３８】
２５はリレー駆動回路で、出力側が前述リレースイッチ２４に、入力側が前述記憶演算装置２７にそれぞれ接続されており、記憶演算装置２７の制御により前述リレースイッチ２４を駆動してスイッチの切り換えを行う回路である。
【００３９】
２６はオフフック検出回路で、入力側がリレースイッチ２４に、出力側が前記記憶演算装置２７にそれぞれ接続されており、前述記憶演算装置２７の指示により自動通報装置１が通信中で前述電話機７がオフフック検出回路２６側に切り替わっている時、前述電話機７のオフフックを検出する回路である。
【００４０】
２８はメータインターフェース回路で、前述メータ８と前述記憶演算装置２７との間に接続されており、メータ８からのパルス信号を受信したり、もしくはメータ８との間の通信を行い前述記憶演算装置２７へ伝達する機能を有している。
【００４１】
２９はセンサインタフェース回路で、前述センサ９と前記記憶演算装置２７の間に接続されており、センサ９からの信号を受信し、かつ、この信号を前記記憶演算装置２７に伝達する機能を有している回路である。
【００４２】
３０はデータ登録インターフェース回路で、後述データ登録装置３２と前記記憶演算装置２７の間に接続されており、データ登録装置３２からのデータを取り込み、かつ、このデータを前述記憶演算装置２７に伝達する機能を有している回路である。
【００４３】
３１はコネクタで、後述データ登録装置３２と前述データ登録インターフェース回路３０間に接続されており、このコネクタ３１は後述データ登録装置３２と前述自動通報装置１との着脱を自由に行わせる機能を有するものである。
【００４４】
３２はデータ登録装置で、前述自動通報装置１に接続されて、その動作を行わせるためのデータを登録、記憶及び変更するものである。
【００４５】
例えば、前述集中監視センタ２の電話番号や前述自動通報装置１のユーザコードなどのほか、ノーリンギング方式で着信したときに前述自動通報装置１を選択するためのＮＲＳ信号（「０〜９」の中の１桁の数字）や、リンギング方式で着信したときに前述集中監視センタ２から前述自動通報装置１を選択するために送出する第１の識別信号（１桁数字のＰＢ信号）及び第２の識別信号（４桁数字のＰＢ信号）及び通信開始制御信号（４桁のＰＢ信号）を登録、記憶及び変更を行う装置で、前述コネクタ３１により前述自動通報装置１に着脱自在に取り付ける事が出来る。
【００４６】
次に、本実施例の図２・図３及び図４を用いて、自動通報装置１が接続されている加入者電話回線１０に着信があった時の動作に付いて説明する。
【００４７】
まずＡ１にて、加入者電話回線１０に極性反転が発生する事を監視する事で着信の検出を行う。
【００４８】
ここで、極性反転が緩極性反転検出回路１２により検出されるとＡ２、Ａ３にて３５０ｍＳのタイマのスタートを行い、半ループ回路１８を閉結して極性反転検出に対して応答する。
【００４９】
続いてＡ４−Ａ５−Ａ４の流れで、３５０ｍＳ以内に図１のＮＲＴ６より加入者電話回線１０に「０〜９」の１桁のＰＢ信号であるＮＲＳ信号が送信されてくるか、コンデンサ１４、トランス１５を介してＰＢ信号検出回路１６で監視を行う。
【００５０】
このとき３５０ｍＳ以内に前記ＮＲＳ信号が検出できれば、ノーリンギング方式による着信であったと判断してノーリンギング方式に準じた応答手順であるＡ６以降の処理を実行する。
【００５１】
反対に、３５０ｍＳ以内にＮＲＳ信号の検出が出来ない場合には、リンギング方式による着信であったと判断してリンギング方式に準じた応答手順であるＢ１以降の処理を実行する。
【００５２】
いま、仮に３５０ｍＳ以内にＮＲＳ信号が検出できたとすると、Ａ６にて検出されたＮＲＳ信号が予めデータ登録装置３２により記憶演算装置２７に記憶登録されているＮＲＳ信号と合致するかの判定を行う。
【００５３】
ＮＲＳ信号が合致しない場合には、前述自動通報装置１が選択されなかったと判断して、Ａ１２へジャンプして半ループ回路１８の半閉結状態を開放して一連の動作を終了する。
【００５４】
ＮＲＳ信号が合致した場合には、Ａ７にてＡＣ６００Ωスイッチ１９をオンして加入者電話回線１０の交流インピーダンス６００Ω平衡を取り、Ａ８にてＰＢ信号送出回路２２よりノーリンギング方式に準じた応答手順である応答信号のＡＮＳ信号（ＰＢ信号「＃」１桁）を前述の６００Ωトランス２１、ＡＣ６００Ωスイッチ１９、半ループ回路１８、整流回路１７、加入者電話回線１０を介して図１のＮＲＴ６へ送出する。
【００５５】
次にＡ９−Ａ１０−Ａ９の流れで、信号変復調回路２３により、前述の６００Ωトランス２１、ＡＣ６００Ωスイッチ１９、半ループ回路１８、整流回路１７、加入者電話回線１０、及び電話回線網３を介して集中監視センタ２と通信を行う。
【００５６】
通信が終了すれば、ＡＣ６００Ωスイッチ１９、及び半ループ回路１８を開放して一連の動作を終了する。Ａ１１−Ａ１２−ＥＮＤとなる。
【００５７】
以上、ノーリンギング方式で着信した場合の処理に付いて説明した。
【００５８】
次に、リンギング方式で着信した場合に付いて説明する。
【００５９】
リンギング方式で着信した場合、Ａ４−Ａ５−Ａ４で３５０ｍＳ以内にＮＲＳ信号が検出できないので以降Ｂ１〜Ｂ２０の処理となる。
【００６０】
Ｂ１で半ループ回路１８の開放を行いノーリンギング方式による着信手順を終了する。
【００６１】
Ｂ２でベルタイマのスタートを行う。ベルタイマはベルが設定時間以上鳴動しない場合リンギング方式による着信手順を終了するための制限タイマである。
【００６２】
次に、Ｂ３−Ｂ４−Ｂ５−Ｂ７−Ｂ３またはＢ３−Ｂ６−Ｂ７−Ｂ３の流れでベルが間欠的に鳴動している事を前述ベル検出回路１１で監視しベルの鳴動回数をＢ４でカウントすると共に、前述電話機７がオフフックして前述加入者電話回線１０に回線電流が流れるかを前述回線電流検出回路１３で監視している。
【００６３】
ここで、電話機７が応答する前にベルが止まってしまった場合はＢ３−Ｂ６−Ｂ７−Ｂ３の処理でベルタイマがタイムアップするのでＢ６−ＥＮＤとなり応答手順を終了する。
【００６４】
次に、前述電話機７がベルに応答して、オフフックして回線電流が流れると、Ｂ９でベル鳴動回数ｎとあらかじめ設定してある設定値ｃが一致しているかどうかを判定し、一致していなければ電話機７が留守番電話機等の自動応答する機器ではないと判断し、Ｂ１２で集中監視センタ２からの識別信号をコンデンサ１４を介してトランス１５、ＰＢ信号検出回路１６により監視する。
【００６５】
Ｂ９でｎとｃが一致していれば電話機７が留守番電話機等の自動応答する機器であると判断し、Ｂ１０、Ｂ１１で直流閉結回路２０をオンし、電話機７を加入者電話回線１０から切り放す様リレー駆動回路２５を動作させ、直流閉結回路２０をオンし前述集中監視センタ２からの識別信号をＢ１２で監視する。
【００６６】
識別信号は自動通報装置１を特定するためのＰＢ信号の数字の４桁数字であり、検出されると予め記憶演算装置２７に登録記憶されている４桁数字と比較をＢ１２で行い一致していればＢ１４−Ｂ１５−Ｂ１６−Ｂ１７−Ｂ１５の流れでタイマＢがタイムアップする間、集中監視センタ２からの通信開始信号をＢ１６で待つ。この間に集中監視センタ２からユーザに対し連絡を行った後に通信開始信号を送出する。
【００６７】
通信開始信号はＰＢ信号の４桁数字でありＰＢ信号検出回路１６で検出すると予め記憶演算装置２７に登録記憶されている４桁数字と比較をＢ１６で行い一致していればＢ１８・Ｂ１９で電話機７を加入者電話回線１０から切り放すようにリレー駆動回路２５を動作させ、直流閉結回路２０をＢ１８でオンして、Ｂ２０・Ｂ２１で信号変復調回路２３により６００Ωトランス２１、直流閉結回路２０、整流回路１７、加入者電話回線１０、及び電話回線網３を介して集中監視センタ２と通信を行う。通信が終了したら、Ｂ２２、Ｂ２３でリレースイッチ２４を切り換え、直流閉結回路２０をオフして加入者電話回線１０の直流回路を開放して終了する。
【００６８】
Ｂ１２で集中監視センタ２からの識別信号がタイマＡのタイムアップする間に検出できなかった場合は、Ｂ１３−Ｂ２２−Ｂ２３の流れでリレースイッチ２４を初期状態に戻し、直流閉結回路２０をオフして加入者電話回線１０の直流回路を開放して終了する。タイマＢがタイムアップする間に通信開始信号が検出されなかった場合は、Ｂ１７−Ｂ２２−Ｂ２３の流れでリレースイッチ２４を初期状態に戻し応答手順を終了する。
【００６９】
Ｂ１７でセンタからの通信開始信号がタイマＢのタイムアップする時間検出できなかった場合Ｂ２２・Ｂ２３に移り終了処理を行う。
【００７０】
予め設定してある設定値ｃは、留守番電話機等の自動応答する機器がベルの鳴動回数の何回目で自動応答するようになっているかを調べ、データ登録装置３２により記憶演算装置２７に設定すれば良い。
【００７１】
別な方法としては、設定値ｃは記憶演算装置２７が前回のベルの鳴動回数の何回目でオフフックしたかを記憶し、今回のオフフックまでのベルの鳴動回数が一致していれば留守番電話機等の自動応答する機器が接続してある確率が高いと判断できるので、このような方法で学習するプログラムとすることで設定値ｃを自動的に求めることも出来る。このようにすれば設定値ｃを予め設定する必要は無い。
【００７２】
【発明の効果】
以上述べたように、本発明によれば、集中監視センタからの呼び出しによるベル信号があって自動通報装置が電話機のオフフックを検出したら、自動通報装置は、その時カウントしたベル信号の検出回数が予め設定された設定値と一致しているかどうかを判断して、一致していた場合は留守番電話機等の自動応答する機器が接続してあると判断し、電話機を加入者電話回線から一時的に切り離す動作を行い留守番電話機等の自動応答音による雑音が入らないように制御するので、集中監視センタから伝送された識別信号を誤検出することがなくなり、集中監視センタと確実に通信を行う事が出来る。
【００７３】
また、留守番電話機以外が応答した場合は、電話機を加入者電話回線から切り放すことがないので、ユーザの電話機の使用に違和感を与えることが無い。
【図面の簡単な説明】
【図１】本発明の一実施例を示す自動通報システムにおけるシステム構成図である。
【図２】本発明の一実施例を示す自動通報システムにおけるブロック構成図である。
【図３】本発明の一実施例を示す自動通報システムにおける動作フローチャートである。
【図４】本発明の一実施例を示す自動通報システムにおける動作フローチャートである。
【符号の説明】
１  自動通報装置
２  集中監視センタ
３  電話回線網
７  電話機
８  メータ
９  センサ
１０  加入者電話回線
１１  ベル検出回路
１３  回線電流検出回路
１６  ＰＢ信号検出回路
２４  リレースイツチ
【図１】
0003548261.tif 000002
【図２】
0003548261.tif 000003
【図３】
0003548261.tif 000004
【図４】
0003548261.tif 000005